(57)【特許請求の範囲】
【請求項１】
ネットワークを介して互いに通信可能に接続された複数のネットワーク機器と、
前記複数のネットワーク機器から通信状態に関する情報を取得し、前記情報に基づいて前記ネットワークのトラフィック状態を含む通信状態を三次元的に示すトラフィック管理画面を生成して表示部に表示するトラフィック管理装置と、
前記表示部及び入力部を有する情報端末と、を備え、
前記トラフィック管理装置は、前記ネットワーク機器を示す機器マークと、前記ネットワーク機器間を接続する上り回線及び下り回線を各々示す半透明のチューブ状の一対の回線マークと、前記回線マーク内をトラフィック状態に応じて移動する粒状の流動体マークと、前記機器マークの外周に配置されて回転により前記ネットワーク機器の稼働状態を示す環状の稼働マークと、を含むトラフィック画像を前記トラフィック管理画面に表示するとともに、
前記回線マークを回線の帯域の大きさに対応する太さで表示し、前記流動体マークを前記回線の帯域の大きさに対応する大きさで表示し、
前記通信状態の変化に応じて前記回線マークの色、輝度を含む表示態様、前記流動体マークの数、移動方向、移動速度、色、輝度を含む表示態様、及び前記稼働マークの回転速度、色、輝度を含む表示態様を変化させて表示し、
前記上り回線に対応する前記回線マーク及び前記流動体マークを第１の色で表し、前記下り回線に対応する前記回線マーク及び前記流動体マークを第２の色で表示し、前記回線の使用率が、閾値を超えたときには、前記流動体マークの色を第３の色に変更して表示し、回線異常を検出したときに、起点の前記ネットワーク機器と終点の前記ネットワーク機器の稼働状態を取得し、チューブ状の前記回線マークのうち、ダウンが確認された前記ネットワーク機器に対応する前記機器マーク側の半分のみを、第４の色で点滅して表示する
ことを特徴とするトラフィック管理システム。
【請求項２】
前記トラフィック管理装置は、前記回線ごとのトラフィック状態を時系列で表す複数のグラフ画像を、前記トラフィック画像の外周にリング状又は並列に並べて、若しくは前記回線マーク上に配置して前記トラフィック管理画面に表示することを特徴とする請求項１に記載のトラフィック管理システム。
【請求項３】
前記トラフィック管理装置は、前記トラフィック管理画面上で前記入力部を介して選択された前記回線マーク又は前記機器マークと、複数の前記グラフ画像の中から、これらに対応する前記グラフ画像とを紐付ける紐付けマークを前記トラフィック管理画面に表示するとともに当該グラフ画像を拡大又はポップアップして表示することを特徴とする請求項２に記載のトラフィック管理システム。
【請求項４】
ネットワークを介して互いに通信可能に接続された複数のネットワーク機器と、
前記複数のネットワーク機器から通信状態に関する情報を取得し、前記情報に基づいて前記ネットワークのトラフィック状態を含む通信状態を三次元的に示すトラフィック管理画面を生成して表示部に表示するトラフィック管理装置と、を備え、
前記トラフィック管理装置は、回線ごとのトラフィック状態を時系列で表す複数のグラフ画像を、前記回線を示す回線マーク及び前記ネットワーク機器を示す機器マークを含むトラフィック画像の外周にリング状に一列に又は多段のリング状に並べ、かつ円周方向に回転させて配置して、前記トラフィック管理画面に表示し、前記トラフィック管理画面上で選択された前記回線マーク又は前記機器マークと、複数の前記グラフ画像の中から、これらに対応する前記グラフ画像と、を紐付ける紐付けマークを前記トラフィック管理画面に表示するとともに当該グラフ画像を拡大又はポップアップして表示することを特徴とするトラフィック管理システム。
【請求項５】
コンピュータによって実行されるトラフィック管理方法であって、
ネットワークを介して互いに通信可能に接続された複数のネットワーク機器から通信に関する情報を取得する情報収集工程と、
取得した前記情報に基づき前記ネットワーク機器を示す機器マークと、前記ネットワーク機器間を接続する上り回線及び下り回線を各々示す半透明のチューブ状の一対の回線マークと、前記回線マーク内をトラフィック状態に応じて移動する粒状の流動体マークと、前記機器マークの外周に配置されて回転により前記ネットワーク機器の稼働状態を示す環状の稼働マークと、を含むトラフィック画像が表示されて前記ネットワークのトラフィック状態を含む通信状態を三次元的に示すトラフィック管理画面を生成して表示部に表示する表示工程と、を含み、
前記表示工程では、前記回線マークを回線の帯域の大きさに対応する太さで表示し、前記流動体マークを前記回線の帯域の大きさに対応する大きさで表示するとともに、通信状態の変化に応じて前記回線マークの色、輝度を含む表示態様、前記流動体マークの数、移動方向、移動速度、色、輝度を含む表示態様、及び前記稼働マークの回転速度、色、輝度を含む表示態様を変化させて表示し、
前記上り回線に対応する前記回線マーク及び前記流動体マークを第１の色で表し、前記下り回線に対応する前記回線マーク及び前記流動体マークを第２の色で表示し、前記回線の使用率が、閾値を超えたときには、前記流動体マークの色を第３の色に変更して表示し、回線異常を検出したときに、起点の前記ネットワーク機器と終点の前記ネットワーク機器の稼働状態を取得し、チューブ状の前記回線マークのうち、ダウンが確認された前記ネットワーク機器に対応する前記機器マーク側の半分のみを、第４の色で点滅して表示する
ことを特徴とするトラフィック管理方法。
【請求項６】
請求項５に記載の各工程を、前記コンピュータに実行させるためのプログラム。
【発明の詳細な説明】
【技術分野】
【０００１】
本開示は、トラフィック管理システム、トラフィック管理方法、及びプログラムに関する。
【背景技術】
【０００２】
従来、ネットワークの監視には、ＳＮＭＰ（Simple Network Management Protocol）が利用されている。このＳＮＭＰを利用した監視では、監視装置（ＳＮＭＰマネージャ）が、ルータ等の監視対象のネットワーク機器から通信状態に関する情報を取得することで、各機器の状態監視やトラフィック監視等を行っている。
【０００３】
また、監視対象のネットワーク機器から取得した情報に基づいて、ネットワークの混雑状況を画像として表示するシステムが開示されている（例えば、特許文献１、２参照）。これらの特許文献に記載の発明では、混雑状況に応じて回線の色を変化させたり、回線を示す矢印の太さを変化させたりすることで、混雑の有無や混雑具合の程度等を直感的に把握することを可能としている。このように、ネットワークの状態を、より適切に把握することのできる技術の開発が切望されている。
【先行技術文献】
【特許文献】
【０００４】
【特許文献１】特許第６６１４６２４号
【特許文献２】特許第３７６０２８１号
【発明の概要】
【発明が解決しようとする課題】
【０００５】
本開示は、上記の事情に鑑みてなされたものであり、ネットワークを介して接続する複数のネットワーク機器間のトラフィック状態や稼働状態等、ネットワークの状態を、より直観的かつ、より迅速に把握することを目的としている。
【課題を解決するための手段】
【０００６】
前記目的を達成するために、本開示のトラフィック管理システムは、ネットワークを介して互いに通信可能に接続された複数のネットワーク機器と、前記複数のネットワーク機器から通信状態に関する情報を取得し、前記情報に基づいて前記ネットワークのトラフィック状態を含む通信状態を三次元的に示すトラフィック管理画面を生成して表示部に表示するトラフィック管理装置と、前記表示部及び入力部を有する情報端末と、を備える。前記トラフィック管理装置は、前記ネットワーク機器を示す機器マークと、前記ネットワーク機器間を接続する上り回線及び下り回線を各々示すチューブ状の一対の回線マークと、前記回線マーク内をトラフィック状態に応じて移動する粒状の流動体マークと、前記機器マークの外周に配置されて回転により前記ネットワーク機器の稼働状態を示す環状の稼働マークと、を前記トラフィック管理画面に表示するとともに、前記通信状態に応じて前記回線マークの太さ、色、輝度を含む表示態様、前記流動体マークの数、大きさ、移動方向、移動速度、色、輝度を含む表示態様、及び前記稼働マークの回転速度、色、輝度を含む表示態様を変化させて表示する。
【発明の効果】
【０００７】
本開示によれば、ネットワークを介して接続する複数のネットワーク機器間のトラフィック状態や稼働状態等、ネットワークの状態を、より直観的かつ、より迅速に把握することができる。
【図面の簡単な説明】
【０００８】
【図１】第１実施形態に係るトラフィック管理システムの構成例を示す概念図である。
【図２】クライアント端末の表示部に表示されるトラフィック管理画面の一例を示す図である。
【図３】選択された回線のグラフがポップアップ表示された状態を示す図である。
【図４】（ａ）は変形例１のトラフィック管理画面を示す図であり、（ｂ）は選択された回線のグラフがポップアップ表示された状態を示す図である。
【図５】変形例２のトラフィック管理画面を示す図である。
【図６】変形例３のトラフィック管理画面を示す図である。
【図７】（ａ）は変形例４のトラフィック管理画面を示す図であり、（ｂ）は小グラフが移動した状態を示す図である。
【図８】（ａ）は主要部分の拡大図であり、（ｂ）はトラフィック量の大きな増減により、パーティクルが点滅している状態を示す図であり、（ｃ）はネットワーク機器の停止によりトーラスが赤色点滅して停止した状態を示す図であり、（ｄ）は回線異常によりチューブが赤色点滅した状態を示す図である。
【図９】第１実施形態に係るトラフィック管理システムの動作の流れの一例を説明するためのシーケンス図である。
【発明を実施するための形態】
【０００９】
（第１実施形態）
以下、本開示のトラフィック管理システム１００を、図面を参照しながら説明する。図１は、本開示の第１実施形態に係るトラフィック管理システム１００の構成例を示す概念図である。
【００１０】
この図１に示すように、本実施形態に係るトラフィック管理システム１００は、複数の監視対象のネットワーク機器（「ノード」とも呼ばれる。）１０と、トラフィック管理装置としてのトラフィック管理サーバ２０と、トラフィック管理クライアント端末（以下、単に「クライアント端末」という。）３０と、を有して構成される。
【００１１】
ネットワーク機器１０は、ネットワーク回線（リンク）を介して互いに接続され、データの送受信を行う。またネットワーク機器１０は、定常的にトラフィック情報、ノード・リンク情報等の通信に関する情報（以下、「インフラ情報」という。）をトラフィック管理サーバ２０に送信する。具体的には、ネットワーク機器１０にインストールされたエージェントプログラム、又はネットワーク機器１０に接続されてエージェント機能を有する装置等が、トラフィック管理サーバ２０からの送信要求に応じてインフラ情報を送信する。
【００１２】
ネットワーク機器１０は、ＳＮＭＰ対応の機器であればよく、特に限定されない。具体的には、ネットワーク機器１０は、ルータ、ハブ、サーバ、ファイヤーウォール等が挙げられるが、これらに限定されない。
【００１３】
トラフィック管理サーバ２０は、複数のネットワーク機器１０からインフラ情報を収集し、トラフィック管理画面４０を生成して提示する。トラフィック管理サーバ２０は、データの取得、生成、更新等の演算処理及び加工処理のための処理能力のある情報処理装置からなる。
【００１４】
トラフィック管理サーバ２０は、クラウドコンピューティングサービスを利用した、クラウドサーバであるが、トラフィック管理サービスの提供者が所有する自社サーバ等であってもよい。トラフィック管理サーバ２０は、例えば、１台又は複数台のサーバ用パーソナルコンピュータ（ＰＣ）、汎用コンピュータ（メインフレーム）等から構成されるが、これらに限定されない。また、トラフィック管理装置がサーバに限定されることもなく、ノート型ＰＣ、デスクトップ型ＰＣ、タブレット端末、スマートフォン等を用いることもできる。
【００１５】
トラフィック管理サーバ２０は、ハードウェア構成として、ＣＰＵと、ＲＡＭ、ＲＯＭ、フラッシュメモリ、ハードディスクドライブ等からなる記憶部２３と、等を主に有する構成である。また、トラフィック管理サーバ２０は、３Ｄグラフィック画像処理を高速に行うべく、ＧＰＵ、ＦＰＧＡ等のプログラマブルロジックデバイスや、ＡＳＩＣ等の演算素子を備えていてもよい。
【００１６】
記憶部２３には、トラフィック管理サーバ２０が各種動作の際に用いる各種データやプログラムが一時的又は非一時的に格納される。また、記憶部２３には、クライアント用プログラム２３ａ、インフラ情報２３ｂ、ＭＡＰ情報２３ｃが一時的又は非一時的に格納される。
【００１７】
クライアント用プログラム２３ａは、クライアント端末３０にインストールされて実行されるプログラムである。インフラ情報２３ｂは、ネットワーク機器１０からＳＮＭＰプロトコルを利用して取得されたトラフィック情報、ノード・リンク情報等を含む。トラフィック情報は、回線（リンク）ごとに設けられ、リンクIDと、ネットワーク機器１０のポートのＩＮ方向及びＯＵＴ方向におけるトラフィック量(bps)や取得時刻を、時系列で複数世代分（例えば、１００世代）を含む。ノードID、リンクIDは、ノード、リンクを識別するために付された名称であり、文字、記号、数字等からなる。
【００１８】
ノード・リンク情報は、ネットワーク上に配置されたネットワーク機器１０（ノード）ごとに設けられ、ノードIDと、ネットワーク機器１０の稼働状態（ping等）を含み、回線（リンク）ごとに、リンクIDと、回線の稼働状態（起点、上り又は下り等）を含む。
【００１９】
ＭＡＰ情報２３ｃは、ノードの定義情報、リンクの定義情報、閾値等を含む。ノードの定義情報は、ノードごとに設けられ、ノードID、表示部に表示する際のラベル情報やアイコン情報、ノードの座標等を含む。リンクの定義情報は、リンクごとに設けられ、リンクID、始点と終点のポート収容位置、起点と終点のノードID、経由点、回線の繋がり情報、回線帯域等を含む。閾値は、例えば、回線の使用率の閾値（例えば、７０〜８０％）を含み、回線の使用率が閾値を超えたときに、回線マークが橙色に表示される。
【００２０】
トラフィック管理サーバ２０のＣＰＵは、トラフィック管理サーバ２０を制御する制御部として機能する。ＣＰＵ（制御部）は、ＲＯＭや記憶部２３に記憶されたトラフィック管理プログラムを実行することで、情報収集部２１、Ｗｅｂシステム部２２として機能する。
【００２１】
情報収集部２１は、ＳＮＭＰマネージャとして機能し、各ネットワーク機器１０に、送信要求のＳＮＭＰコマンドを定期的に送信し、各ネットワーク機器１０からインフラ情報を取得し、記憶部２３に格納する。
【００２２】
Ｗｅｂシステム部２２は、HTTP（Hypertext Transfer Protocol）を使用して、クライアント端末３０に、記憶部２３に格納されているクライアント用プログラム２３ａ、インフラ情報２３ｂ、ＭＡＰ情報２３ｃを送信する。
【００２３】
次に、クライアント端末３０について説明する。クライアント端末３０は、ノート型ＰＣやデスクトップ型ＰＣからなるが、この他にもタブレット端末、スマートフォン、ウェアラブル端末等、通信機能を有する情報処理端末であってもよい。クライアント端末３０は、ハードウェア構成として、ＣＰＵと、ＲＡＭ、ＲＯＭ、フラッシュメモリ、ハードディスクドライブ等からなる記憶部と、等を主に有する構成である。また、クライアント端末３０は、３Ｄグラフィック画像処理を高速に行うべくＧＰＵ、ＦＰＧＡ、ＡＳＩＣ等を備えることが好ましい。
【００２４】
クライアント端末３０は、トラフィック管理画面が表示される表示部３２と、トラフィックの監視者からの操作入力やデータ入力を受け付ける入力部３３と、を備える。表示部３２は、ＬＣＤディスプレイ、ＬＤディスプレイ、有機ＬＥＤディスプレイ等からなる。また、表示部３２は、タッチパネルを搭載していてもよい。
【００２５】
入力部３３は、タッチパネル、操作ボタン、キーボード、ポインティングデバイス（マウス、タッチパネル、ペンタブレット、タッチパッド、トラックパッド、トラックボール、ジョイスティック等）等からなる。
【００２６】
クライアント端末３０のＣＰＵ等は、トラフィック管理サーバ２０からダウンロードしたクライアント用プログラム２３ａを実行することで、表示部３２にトラフィック管理画面を表示する制御部３１として機能する。すなわち、この制御部３１も、トラフィック管理サーバ２０の制御部に含まれる。
【００２７】
より詳細には、制御部３１は、トラフィック管理サーバ２０のＷｅｂシステム部２２を介して、記憶部２３のインフラ情報２３ｂ、ＭＡＰ情報２３ｃを取得する。次いで、制御部３１は、取得した各情報に基づいて、図２等に示すようなトラフィック管理画面４０を生成し、表示部３２に表示する。
【００２８】
トラフィック管理画面４０の一例を、図２を参照して説明する。この図２に示すように、トラフィック管理画面４０は、ネットワーク空間を仮想的に表した宇宙空間４１内に、トラフィック状態を地図のように表したトラフィック画像Ｍが立体的に配置された三次元画像である。また、トラフィック画像Ｍは、インフラ情報２３ｂ及びＭＡＰ情報２３ｃに基づき、各々複数の機器マーク、回線マーク、流動体マーク、稼働マークが、立体的に配置された画像である。
【００２９】
また、トラフィック管理画面４０には、方向を示す方向マークとしての地球４６（地球の立体画像）が表示されている。この地球４６側を、上流側とすることで、監視者がネットワークの上流側及び下流側、トラフィックの方向等を容易に把握できる。また、宇宙空間４１内に地球４６が表示されていることで、親近感、デザイン性、嗜好性等が向上する。なお、方向マークが地球４６に限定されることはなく、月や太陽、その他の惑星であってもよいし、矢印等の方向を示す標識、文字等であってもよい。
【００３０】
本実施の形態では、ネットワーク機器１０を示す機器マークとして、円柱体４２が表示されている。また、この円柱体４２の近傍に、ネットワーク機器１０を識別するノードID（名称）を表示してもよい。また、円柱体４２間には、ネットワーク機器１０間を接続する上り及び下りの回線マークとしての半透明の一対のチューブ４３（上りチューブ４３ａ、下りチューブ４３ｂ）が表示されている。チューブ４３は、宇宙空間４１内で立体的に交差するように表示される。また、この半透明の一対のチューブ４３内には、トラフィック状態に応じて移動する粒状の流動体マークとしての複数のパーティクル４４が表示される。機器マークの円柱体４２の外周には、回転によりネットワーク機器１０の稼働状態を示す環状の稼働マークとしての五角形のトーラス４５が表示される。
【００３１】
図８（ａ）に、円柱体４２、チューブ４３、パーティクル４４及びトーラス４５を含む主要部分の拡大図を示す。この図８（ａ）に示すように、回線マークであるチューブ４３は、上り方向の回線を示す上りチューブ４３ａと、下り方向の回線を示す下りチューブ４３ｂとからなる。この上りチューブ４３ａ及び下りチューブ４３ｂ内を、パーティクル４４が矢印で示すように、上り方向又は下り方向に流れるように表示されている。また、円柱体４２の外周には、ネットワーク機器１０（ノード）の稼働状態を示す稼働マークとしての五角形のトーラス４５が、矢印方向に回転して表示されている。なお、トーラス４５は、五角形以外の多角形、円形、楕円形、星形等であってもよいが、回転状態を、より明確に把握できる点で、五角形が好ましい。
【００３２】
また、上りチューブ４３ａは、例えば半透明の緑色とし、下りチューブ４３ｂは、例えば半透明の青色とすることで、監視者は上り回線と下り回線を直観的に把握し、明確に区別できるとともに、内部を流動するパーティクル４４が明瞭に視認でき、その状態を容易に把握できる。
【００３３】
また、ネットワーク機器１０を表す円柱体４２間に、チューブ４３を配置することで、監視者がネットワーク機器１０間の回線の繋がりを直観的に把握できる。また、回線マークを上りチューブ４３ａと下りチューブ４３ｂの２つとし、上り方向と下り方向と別々に表したことで、監視者が２方向のトラフィックの流れを容易に区別可能となる。また、回線の使用率が、閾値（例えば、７０〜８０％）を超えたときには、パーティクル４４の色を青色又は緑色から橙色に変更して表示する。これにより、観察者は混雑している回線を、直観的かつ迅速に把握できる。
【００３４】
また、図８（ａ）に示すように、本実施形態では、回線の帯域に応じてチューブ４３の太さとパーティクル４４の大きさを変えている。すなわち、チューブ４３の太さが太くてパーティクル４４が大きければ、帯域が太いことが容易に把握でき、チューブ４３が細くてパーティクル４４が小さければ、帯域が細いことが容易に把握できる。
【００３５】
また、図８（ｄ）の例では、回線ダウンなど、回線異常を検出したときに、チューブ４３を赤色で表示し、かつ点滅させて表示している。これにより、監視者は回線異常を直観的かつ迅速に把握でき、ネットワーク機器１０の再起動、メンテナンス等、迅速な対応を図ることができる。なお、図８（ｄ）では、上り回線及び下り回線の一方がダウンした場合に、上りチューブ４３ａ及び下りチューブ４３ｂの双方を赤色で点滅させているが、これに限定されない。例えば、起点ノードと終点ノードの双方の回線状態を取得し、ダウンが確認されたノード側に近い側の半分のチューブ４３のみ赤色に点滅させ、他方の稼働中のノード側に近い側の半分のチューブ４３は緑色（又は青色）で表示するようにしてもよい。
【００３６】
ところで、回線は、当業者においては「土管」として表現されることが多い。このため、回線をチューブ４３で表すことで、チューブ４３と土管とで概念が一致して、監視者が回線を容易に把握できる。また、チューブ４３を半透明としたことで、チューブ内をパーティクル４４が流れている様子をリアルに表現できる。
【００３７】
また、チューブ４３内にパーティクル４４を配置することで、回線とトラフィック状態を紐づけることができる。また、上りチューブ４３ａ及び下りチューブ４３ｂ内を、パーティクルが上り方向又は下り方向に動的に移動することで、監視者がトラフィック方向を容易に把握できる。
【００３８】
また、トラフィック量の変化に合わせて、パーティクル４４の数（密度）、大きさ、移動速度、色、輝度等の表示態様を変化させることで、監視者がトラフィック量を容易に把握できる。例えば、トラフィック量が多い場合は、パーティクル４４の移動速度を高速にしたり、数（密度）を多く（高密度）したり、大きさを大きくしたり、色を赤色や高輝度にしたりする。これに対して、トラフィック量が少ない場合は、パーティクル４４の移動速度を低速速にしたり、数（密度）を少なく（低密度）したり、大きさを小さくしたり、色を青色や低輝度にしたりする。このようにパーティクル４４の表示態様を変更することで、監視者がトラフィック量を容易かつ的確に把握できる。図８（ａ）の例では、下りチューブ４３ｂ内を、パーティクル４４が高速度、高密度及び赤色で流動し、上りチューブ４３ａ内を、パーティクル４４が低速度、低密度及び青色で流動している状態が表されている。これにより、監視者は上り回線よりも下り回線のトラフィック量が多いことが把握できる。
【００３９】
また、点滅等によってトラフィック状態の変化を表すことも、トラフィック状態を把握する上で有効である。図８（ｂ）に示す例では、下り回線のトラフィック量が急激に変化したときに、まず下りチューブ４３ｂ内を流動するパーティクル４４を、一定時間で赤色に点滅させて表示する。その後、変化後のトラフィック量に応じて、速度、密度、色等の表示態様を変化させてパーティクル４４を表示する。これにより、監視者は、俯瞰的にトラフィック管理画面４０を眺めていた場合でも、トラフィックが大きく変化した箇所を確実かつ迅速に把握できる。
【００４０】
また、例えば、円柱体４２に対応するネットワーク機器１０が正常に稼働している場合は、青色のトーラス４５を円柱体４２の周囲で回転させて表示する。これにより、監視者は、ネットワーク機器１０が正常に稼働していることを把握できる。これに対して、ネットワーク機器１０のダウン等、異常を検出したときは、図８（ｃ）に示すように、トーラス４５を赤色で点滅させ、かつ回転を停止させる。これにより、監視者は、俯瞰的にトラフィック管理画面４０を眺めていた場合でも、ネットワーク機器１０の停止等の異常状態を、的確かつ迅速に把握できる。
【００４１】
また、本実施形態では、図２に示すように制御部３１は、複数のネットワーク機器１０の回線ごとのトラフィック状態を時系列で表すグラフ４７を、トラフィック管理画面４０の外周に環状に並べて表示している。このグラフ４７は、過去のトラフィック推移を表している。
【００４２】
制御部３１は、インフラ情報２３ｂの複数世代蓄積されたトラフィック情報に基づいて、過去のグラフ４７を生成して表示する。このとき、上りのグラフ線を青色、下りグラフ線を緑色とする等、色分けして表示することで、監視者が上りと下りのトラフィック量を容易に把握できる。
【００４３】
また、制御部３１は、監視者が回線帯域の状態を把握し易くするため、回線帯域の太さに対応して、各グラフ４７のグラフ線の太さを変えて表示している。すなわち、制御部３１は、回線帯域が太い場合は、グラフ線を太く表示し、回線帯域が細い場合は、グラフ線を細く表示している。
【００４４】
また、本実施形態では、複数のグラフ４７を、円の中心を向くように環状に並べて配置している。これにより、監視者は、グラフ４７の推移による過去のトラフィック状態の推移と、チューブ４３による現在のトラフィック状態とを同時に把握できる。また、制御部は、リング状に配置したグラフ４７が、円周方向に回転移動するように表示することで、デザイン性等を向上させるとともに、時間の経過等を直観的に表している。
【００４５】
また、円柱体４２（ネットワーク機器１０）及びチューブ４３（回線）と、各グラフ４７とは紐づけられている。トラフィック管理画面４０上で、監視者が入力部３３により所定のチューブ４３（回線）又は円柱体４２（ネットワーク機器１０）を選択すると、この操作信号を受け付けた制御部３１は、図３に示すように、選択されたチューブ４３又は円柱体４２と、対応するグラフ４７（図３に示すグラフ４７ａ）とを線４８（紐付けマーク）で連結して表示する。また、監視者が入力部３３により複数のグラフ４７の中から、所定のグラフ４７ａを選択したときに、制御部３１は選択されたグラフ４７ａと、これに紐付けられた円柱体４２又はチューブ４３とを、線４８で連結して表示する。また、制御部３１は、グラフ４７の回転移動や、トラフィック管理画面４０の表示方向の変化に追随して、線４８を移動させて、円柱体４２やチューブ４３とグラフ４７ａとを常に連結して表示している。
【００４６】
さらに、制御部３１は、当該グラフ４７ａを拡大表示したり、上方又は下方に移動させてポップアップ表示したりするとともに、紐付けられた円柱体４２、チューブ４３、グラフ４７ａ（ノードIDを表示している場合はノードIDも）を、色の濃度や輝度を上げて強調して表示する。以上により、監視者は、選択したチューブ４３又は円柱体４２とグラフ４７ａとの対応関係を適切に把握できる。
【００４７】
制御部３１は、入力部３３からの操作指示（例えば、マウスによるクリック、ドラッグ操作等）に応じて、三次元画像であるトラフィック管理画面４０の表示方向（三次元座標）を変化させる。これにより、所望の円柱体４２やチューブ４３を所望の方向や位置から確認できる。特に、チューブ４３が立体的に交差しているため、方向を変えることで、下方に位置するチューブ４３等も、より見や易くなり、適切な監視が可能となる。
【００４８】
次に、本実施形態に係るトラフィック管理システム１００の動作（トラフィック管理方法を含む処理）の流れの一例を、図９のシーケンス図を参照しながら説明する。以下ではネットワーク機器１０、トラフィック管理サーバ２０、クライアント端末３０が起動され、ネットワーク機器１０とトラフィック管理サーバ２０間、及びクライアント端末３０とトラフィック管理サーバ２０間でデータや指令の送受信が可能な状態となっているとして説明する。
【００４９】
まず、ステップＳ１で、トラフィック管理サーバ２０が、各ネットワーク機器１０に対して、インフラ情報２３ｂの送信要求を送信する。この送信要求を受信したネットワーク機器１０は、ステップＳ２でトラフィック管理サーバ２０に対して、インフラ情報２３ｂを送信する。ステップＳ３で、トラフィック管理サーバ２０の情報収集部２１が、各ネットワーク機器１０からインフラ情報２３ｂを取得し、記憶部２３へ記憶する。
【００５０】
次いで、ステップＳ４で、Ｗｅｂシステム部２２が、クライアント端末３０のアクセスに応じて、クライアント端末３０へインフラ情報２３ｂ、ＭＡＰ情報２３ｃを送信する。ステップＳ５で、クライアント端末３０の制御部３１がＷｅｂシステム部２２を介してインフラ情報２３ｂ、ＭＡＰ情報２３ｃを取得する。ステップＳ６で、制御部３１は、取得した各情報に基づいて、トラフィック管理画面４０を生成し、ステップＳ７で表示部３２に表示する。
【００５１】
また、制御部３１は、入力部３３から、トラフィック管理画面４０の表示態様の変更指示の信号を受け付けた場合は、ステップＳ８に進み、変更指示に従ってトラフィック管理画面４０の各画像の表示態様を変更して表示する。具体的には、トラフィック管理画面４０の表示方向の変更指示があったときは、制御部３１はトラフィック管理画面４０の三次元における表示方向を変更して表示する。また、円柱体４２、チューブ４３、グラフ４７の選択指示があったときは、制御部３１は、円柱体４２やチューブ４３とグラフ４７とを線４８で連結したり、円柱体４２、チューブ４３、グラフ４７をポップアップ表示したり、強調して表示したりする。
【００５２】
以上のステップＳ１〜Ｓ８の工程は、トラフィック管理システム１００が稼働している間、繰り返し実行される。このため、トラフィック管理画面４０が随時更新して表示され、監視者はリアルタイムでのトラフィック状況の把握が可能となる。
【００５３】
次に、トラフィック管理画面４０の変形例１〜４について、図４〜図７を参照しながら説明する。図４（ａ）は、変形例１のトラフィック管理画面４０Ａを示す図であり、図４（ｂ）は選択された回線のグラフがポップアップ表示された状態を示す図である。
【００５４】
図４に示す変形例１のトラフィック管理画面４０Ａは、図２等に示すトラフィック管理画面４０と同様に、宇宙空間４１に、円柱体４２、チューブ４３、パーティクル４４、トーラス４５、地球４６が配置されたトラフィック画像Ｍが表示されるが、グラフ４７の表示態様が異なる。すなわち、変形例１では、図４（ａ）に示すように、グラフ４７がトラフィック管理画面４０Ａ中のトラフィック画像Ｍの一側（例えば、左側）に、帯状に並列に配置して表示されている。また、変形例１でも、図４（ｂ）に示すように、所定の円柱体４２、チューブ４３及びグラフ４７ａの何れかが選択されると、これらを紐付ける線４８が表示されるとともに、当該グラフ４７ａが上方にポップアップして表示され、かつ当該円柱体４２や当該チューブ４３が強調して表示される。
【００５５】
図５は、変形例２のトラフィック管理画面４０Ｂを示す図である。この図５に示すように、変形例２では、複数のグラフ４７を、各々が正面を向くようにリング状に一列に並べて表示している。この変形例２では、複数のグラフ４７が円周方向に回転移動した場合でも、各グラフ４７が常に正面を向いて配置される。この変形例２でも、所定の円柱体４２、チューブ４３及びグラフ４７ａの何れかが選択されると、これらを紐付ける線４８が表示されるとともに、当該グラフ４７ａが上方にポップアップして表示され、かつ当該円柱体４２や当該チューブ４３が強調して表示される。
【００５６】
図６は、変形例３のトラフィック管理画面４０Ｃを示す図である。変形例３では、すべてのグラフ４７を一列にリング状に配置するのではなく、図６に示すように、回線ごとの複数のグラフ４７を多段のリング状（螺旋状）に並べて表示している。このような配置としたのは、グラフ４７の数が多くなると、一列に並べて配置した場合、グラフ４７が小さくなって視認しづらくなることがあるためである。変形例３では、グラフ４７を多段のリング状に配置することで、大きく視認し易いグラフ４７を表示可能となる。変形例３でも紐付けの線４８の表示や、グラフ４７等のポップアップ、強調表示を行うことができる。
【００５７】
以上、変形例１〜３のトラフィック管理画面４０Ａ，４０Ｂ、４０Ｃによっても、監視者は、グラフ４７の推移による過去のトラフィック量の推移とチューブ４３による現在のトラフィック状態を、直観的に把握できる。また、円柱体４２及びチューブ４３と、グラフ４７との紐付け状態を適切に把握できる。
【００５８】
図７に示す変形例４のトラフィック管理画面４０Ｄは、他の例と同様に、宇宙空間４１に、円柱体４２、チューブ４３、パーティクル４４、トーラス４５、地球４６が配置されたトラフィック画像Ｍが表示されている。上述した他の例では、トラフィック画像Ｍの外側に一段又は多段のリング状若しくは帯状にグラフ４７を配置しているが、変形例４では、図７（ａ）に示すように、上り下りのトラフィックの推移を表すグラフ（小グラフ４９）を、回線を示すチューブ４３上に配置している。この配置により、監視者が回線と小グラフ４９との対応関係を、より直観的かつ迅速に把握できる。勿論、小グラフ４９に加えて、第１実施形態又は変形例１〜３のようなグラフ４８を表示してもよい。
【００５９】
また、変形例４では、入力部３３により所定のチューブ４３を選択すると、選択したチューブ４３上の小グラフ４９が上下方向に微動するものとしている。これにより、監視者は、自身が選択した回線のトラフィックの過去の推移、及びチューブ４３による現在の状態を容易に把握できる。
【００６０】
また、変形例４では、トラフィック管理画面４０Ｄの小グラフ４９を、常時正面に向けて表示している。これにより、トラフィック管理画面４０Ｄの三次元の表示方向が変更されても、監視者は容易に小グラフ４９を視認できる。
【００６１】
ところで、円柱体４２等の位置座標によっては、小グラフ４９が重なり合って、視認しにくいことがある。このため、変形例４では、入力部３３からの所定の操作により、小グラフ４９の位置を変更可能としている。図７（ｂ）は、入力部３３のマウス等によるスライド操作によって、小グラフ４９が移動した状態を示す。これにより、小グラフ４９の重なりを解消して、監視者が各小グラフ４９を視認し易くなる。
【００６２】
以上説明したように、本実施形態及び変形例のトラフィック管理システム１００では、トラフィック状態（ネットワーク機器１０間の回線の繋がり、トラフィック方向、トラフィック量、回線の帯域等）、回線の稼働状態、ネットワーク機器１０の稼働状態を、直観的かつ迅速に把握できる。
【００６３】
また、ネットワーク機器１０を機器マーク（例えば、円柱体４２）で示し、回線をチューブ状の回線マーク（例えば、チューブ４３）で示し、しかも上り回線と下り回線とを別々のチューブ（例えば、上りチューブ４３ａ、下りチューブ４３ｂ）で表している。また、トラフィックの流れを粒状の流動体マーク（例えば、パーティクル４４）で示し、この流動体マークがチューブ状の上り及び下りの回線マーク内をトラフィック状態（トラフィック方向、トラフィック量等）に応じて移動するように表示されている。また、機器マークの外周に配置した環状の稼働マーク（例えば、トーラス４５）が、ネットワーク機器１０の稼働状態に応じて回転するように表示されている。したがって、見易く、かつトラフィック状態や稼働状態を理解し易いトラフィック管理画面４０〜４０Ｄを監視者に呈示することができる。
【００６４】
また、通信状態に応じて回線マークの太さ、色、輝度を含む表示態様、流動体マークの数、移動方向、移動速度、色、輝度を含む表示態様、及び稼働マークの回転速度、色、輝度を含む表示態様を変化させて表示している。このため、監視者がトラフィック管理画面４０〜４０Ｄを俯瞰的に眺めていた場合でも、トラフィックが大きく変化した箇所等を確実かつ迅速に把握できる。
【００６５】
したがって、ネットワークを介して接続する複数のネットワーク機器間のトラフィック状態や稼働状態等、ネットワークの状態を、より直観的かつ、より迅速に把握することができるトラフィック管理システム、トラフィック管理方法。及びプログラムを提供することができる。この結果、トラフィックの急激な変化の把握、回線異常等のトラブルへの対処等をより迅速かつ適切に行うことができる。
【００６６】
また、本実施形態及び変形例では、インフラ情報２３ｂ及びＭＡＰ情報２３ｃに基づき算出された過去のトラフィック推移を示すグラフ４７を、トラフィック管理画面４０〜４０Ｃのトラフィック画像Ｍの外側にリング状又は並列に配置している。また、過去のトラフィック推移を示す小グラフ４９を回線マークの上に配置している。したがって、監視者は、グラフ４７又は小グラフ４９の推移による過去のトラフィック状態の推移と、トラフィック状態に応じた回線マークの表示態様による現在のトラフィック状態とを同時に把握できる。
【００６７】
また、入力部３３からの操作により選択された機器マーク及び回線マークと、グラフ４７又は小グラフ４９とを紐付ける紐づけマーク（例えば、線４８）を表示している。また、グラフ４７ａを拡大又はポップアップして表示している。さらに、小グラフ４９をスライド移動可能としている。したがって、監視者は、ネットワーク機器１０及び回線と、グラフ４７又は小グラフ４９との対応関係を容易に把握できる。
【００６８】
以上、図面を参照して、本開示の実施の形態及び変形例を詳述してきたが、具体的な構成は、この実施の形態及び変形例に限らず、本開示の要旨を逸脱しない程度の設計的変更は、本開示に含まれる。
【符号の説明】
【００６９】
１０  ネットワーク機器
２０  トラフィック管理サーバ（トラフィック管理装置）
３０  トラフィック管理クライアント端末（情報端末）
３２  表示部    ３３  入力部    ４０−４０Ｄ  トラフィック管理画面
４２  円柱体（機器マーク）    ４３  チューブ（回線マーク）
４３ａ  上りチューブ（回線マーク）    ４３ｂ  下りチューブ（回線マーク）
４４  パーティクル（流動体マーク）    ４５  トーラス（稼働マーク）
４７，４７ａ  グラフ    ４９  小グラフ
１００  トラフィック管理システム    Ｍ  トラフィック画像
【要約】
【課題】、ネットワークを介して接続する複数のネットワーク機器間のトラフィック状態や稼働状態等、ネットワークの状態を、より直観的かつ、より迅速に把握することが可能とする。
【解決手段】トラフィック管理システム１００は、複数のネットワーク機器１０と、トラフィック管理サーバ２０と、表示部３２及び入力部３３を有するクライアント端末３と、を備える。トラフィック管理サーバ２０は、トラフィック状態に応じた表示態様のネットワーク機器１０を示す機器マークと、上り回線及び下り回線を示すチューブ状の一対の回線マークと、回線マーク内を移動する流動体マークと、ネットワーク機器１０の稼働状態を示す稼働マークとを有するトラフィック管理画面４０を表示部３２に表示する。
【選択図】図１【図１】
0006857278.tif 000002
【図２】
0006857278.tif 000003
【図３】
0006857278.tif 000004
【図４】
0006857278.tif 000005
【図５】
0006857278.tif 000006
【図６】
0006857278.tif 000007
【図７】
0006857278.tif 000008
【図８】
0006857278.tif 000009
【図９】
0006857278.tif 000010